(57)【要約】【課題】レンズ前鏡筒への着脱操作性を損なうことなく、固定用ネジ部材の緩みによって生じる脱落を防止する機構を備えた光学アクセサリー鏡筒を提供する。【解決手段】レンズ前鏡筒１１の外径部（１１ａ）に嵌合する内径部（２ａ）を有し、該内径部を縮径する方向に弾性変形させ、前記レンズ前鏡筒の外径部を挟持して該レンズ前鏡筒に装着する光学アクセサリー鏡筒において、前記レンズ前鏡筒への装着時に、前記内径部の少なくとも一部に前記レンズ前鏡筒の外径部と係合する係合部（４）を有する。【選択図】            図１
2004271892.tif 000002
【特許請求の範囲】
【請求項１】
レンズ前鏡筒の外径部に嵌合する内径部を有し、該内径部を縮径する方向に弾性変形させ、前記レンズ前鏡筒の外径部を挟持して該レンズ前鏡筒に装着する光学アクセサリー鏡筒において、前記レンズ前鏡筒への装着時に、前記内径部の少なくとも一部に前記レンズ前鏡筒の外径部と係合する係合部を有することを特徴とする光学アクセサリー鏡筒。
【発明の詳細な説明】
【０００１】
【発明の属する技術分野】
本発明は、光学アクセサリー鏡筒に関し、例えばワイドコンバーター、テレサイドコンバーター等の光学アクセサリーを、レンズ前鏡筒に着脱自在に装着するための光学アクセサリー鏡筒の構造に関するものである。
【０００２】
【従来の技術】
従来、光学アクセサリー鏡筒のレンズ係合部の構造としては、例えば、特許文献１に記載されているように、レンズ前鏡筒の外径と嵌合する内径を有する鏡筒部に周方向の略半周にわたるスリットとこれに交わる軸方向のスリットを形成し、該軸方向のスリットの隙間を狭める作用を持つ固定用ネジ部材の締め込みにより縮径する方向に鏡筒部を弾性変形させることでレンズ前鏡筒の外径を挟持する固定方法があった。
【特許文献１】特開２００１−３３３３１５号公報
【０００３】
【発明が解決しようとする課題】
しかしながら、前記した従来の光学アクセサリー鏡筒の構成においては、レンズ係合部に係止部を有さないため、撮影レンズ使用中に固定用ネジ部材がわずかに緩むと途端に光学アクセサリー鏡筒がレンズ前鏡筒から脱落する可能性があった。光学アクセサリーが比較的軽量の場合は脱落の可能性は小さかったが、昨今の撮影レンズの高性能化（ＨＤ化）や広角化に伴い、このような脱落の可能性が益々高くなってきている。すなわち、光学アクセサリーも高性能で広角レンズに対応するため、レンズ径の増大や使用レンズ数の増加により大重量化する傾向にあり、脱落する危険性が一層高まってきている。
【０００４】
そこで、本発明は上記のような実状に鑑み、レンズ前鏡筒への着脱操作性を損なうことなく、固定用ネジ部材の緩みによって生じる脱落を防止する機構を備えた光学アクセサリー鏡筒を提供することを目的とするものである。
【０００５】
【課題を解決するための手段】
本発明は、レンズ前鏡筒の外径部に嵌合する内径部を有し、該内径部を縮径する方向に弾性変形させ、前記レンズ前鏡筒の外径部を挟持して該レンズ前鏡筒に装着する光学アクセサリー鏡筒において、前記レンズ前鏡筒への装着時に、前記内径部の少なくとも一部に前記レンズ前鏡筒の外径部と係合する係合部を有するように構成したものである。具体的には、一部に軸方向の割部を有する鏡筒部の径方向の弾性変形を用いてレンズ前鏡筒に装着する光学アクセサリー鏡筒において、装着時には鏡筒部内径の一部に設けた凸部をレンズ前鏡筒外周上に設けた凹溝に係合させるように構成したものである。これにより、撮影レンズの前鏡筒外周上に設けた凹溝と係合し内径の一部で径方向に出し入れ自在な凸部を光学アクセサリー鏡筒に設けるだけの簡単な構成で、大重量の光学アクセサリーでも着脱時の操作性を損なうことなく装着でき、安全に使用することができる光学アクセサリー鏡筒の提供が可能となる。
【０００６】
【発明の実施の形態】
本発明の実施の形態について、以下の実施例により説明する。
【０００７】
【実施例】
［実施例１］
図１は、本発明の実施例１における光学アクセサリー鏡筒の背面の構成を示す一部断面図であり、図２はその側面の構成を示す一部断面図である。図１および図２に示すように、光学アクセサリー鏡筒は、前端側にアクセサリーを装着するためのアクセサリー係合部１と、後端側にレンズ前鏡筒１１を保持するためのレンズ係合部２を有している。
前記アクセサリー係合部１の内周面には、アクセサリーの外周に形成された不図示の雄ネジ部と係合する雌ネジ部１ａが形成される。光学アクセサリー鏡筒の前端側からアクセサリーを後端がアクセサリー係合面１ｂに当接するまで捩じ込むことで、両者を固定することができる。
【０００８】
光学アクセサリー鏡筒の後端側のレンズ係合部２は、レンズ前鏡筒１１の外径と略一致する内径の鏡筒部２ａと固定用ネジ部材３および係止部材４から構成される。鏡筒部２ａには周方向の略半周にわたるスリット２ｂとこれに交わる軸方向のスリット２ｃが設けられ、該軸方向のスリット２ｃにより分断された鏡筒部の割部両端には外周方向に突出した締結片２ｄ，２ｅが形成されている。一方の締結片２ｄには固定用ネジ部材３の雄ネジ部３ａが挿通する穴２ｆと軸部３ｂに当接する座２ｇが形成され、他方の締結片２ｅには固定用ネジ部材３の雄ネジ部３ａに係合する雌ネジ部２ｈが形成されている。穴２ｆから固定用ネジ部材３を挿通し雌ネジ部２ｈに捩じ込んでいくことにより、鏡筒部２ａの周方向スリット２ｂの及ぶ範囲が弾性変形し内径を縮径することができる。
【０００９】
本実施例における係止部材４は弾性変形可能な部材から成り、内径がレンズ前鏡筒１１の外径と略一致する円弧状の曲部を有する。該係止部材４は鏡筒部２ａの内周に形成された円弧状溝部２ｉに係合し、前記軸方向スリット２ｃから離れた一方の端部近傍において鏡筒部２ａに固定されている。軸方向スリット２ｃ近傍に位置する他方の端部にはテーパ状の摺動部４ａが形成されている。該摺動部４ａは鏡筒部２ａ内周の割部端部に形成されたガイド斜面２ｊに当接する。したがって、固定用ネジ部材３を締め込み締結片２ｄ，２ｅの隙間が狭められると摺動部４ａがガイド斜面２ｊに沿って摺動し、係止部材４が内径方向に弾性変形する。この結果、係止部材４の内周上の突部４ｂがレンズ前鏡筒１１の外周上の凹溝１１ａに係合し、光学アクセサリー鏡筒とレンズ前鏡筒１１の光軸方向の移動を規制することができる。
【００１０】
次に、上記構成による光学アクセサリー鏡筒をレンズ前鏡筒１１へ着脱する操作について説明する。
光学アクセサリー鏡筒をレンズ前鏡筒１１へ装着する場合には、まず、レンズ前鏡筒１１を光学アクセサリー鏡筒のレンズ係合部２に挿入しレンズ前鏡筒１１の外周上の段差１１ｂにレンズ係合部２の後端部を当接させて位置決めする。このとき、係止部材４の突部４ｂは鏡筒部２ａの円弧状溝部２ｉに退避しているため挿入の妨げとなることはない。その後、固定用ネジ部材３を締め込むと、係止部材４の突部４ｂが凹溝１１ａに係合し、且つ鏡筒部２ａがレンズ前鏡筒１１を挟持することで両者を固定することができる。
【００１１】
一方、レンズ前鏡筒１１からの取り外しは固定用ネジ部材３を緩めることにより行う。まず、固定用ネジ部材３がわずかに緩んだ段階では、鏡筒部２ａの挟持部が径方向に緩み光軸周りの回転規制のみが解除される。このとき、係止部材４の突部４ｂは円弧状溝部２ｉに退避しきれていないため突部４ｂが凹溝１１ａを係止し、レンズ前鏡筒１１をレンズ係合部２から抜くことはできない。さらに固定用ネジ部材３を緩めると突部４ｂは径方向に完全に退避し、光学アクセサリー鏡筒をレンズ鏡筒１１から取り外すことができる。
【００１２】
以上のように、撮影レンズを使用中に固定用ネジ部材３がわずかに緩んだ場合、直ちに光学アクセサリー鏡筒がレンズ前鏡筒から抜け落ちることはなく、光軸周りの回転規制のみが解除された段階で撮影者が固定用ネジ部材３の緩みを検知することができる。
【００１３】
［実施例２］
図３は、本発明の実施例２における光学アクセサリー鏡筒の係止部の要部構成を示す断面図である。なお以下の説明において、実施例１と同構成の部分には同一符号を付してその説明を省略する。また、図示しないアクセサリー係合部の構成部は実施例１と同構成であり、同様に鏡筒部２ａには前記周方向および軸方向のスリットが設けられている。
図３に示すように、締結片２ｄ，２ｅには光軸方向に向かって径が大きくなるテーパ雄ネジ部２ｋが形成されている。テーパネジ部材６は締結片２ｄ，２ｅに当接しない径の係止突起６ａを中心部に有し、内周面にはテーパ雄ネジ部２ｋに係合するテーパ雌ネジ部６ｃが形成されている。したがって、テーパネジ部材６を径方向に締め込むことにより締結片２ｄと２ｅの隙間を狭め、鏡筒部２ａを縮径する方向に変形させることができる。
【００１４】
レンズ前鏡筒１１への装着は、レンズ前鏡筒１１をレンズ係合部２に挿入した後テーパネジ部材６を締め込むことにより行う。レンズ前鏡筒１１を挿入する際に係止突起６ａの係止端６ｂはレンズ前鏡筒１１に当接しないが、テーパネジ部材６を締め込みレンズ前鏡筒１１が鏡筒部２ａに挟持されると同時に係止端６ｂが凹溝１１ａに係合する。取り外しはテーパネジ部材を緩めることにより行うが、実施例１と同様にテーパネジ部がわずかに緩んだ段階においても係止端６ｂでレンズ前鏡筒１１を軸方向に係止することができる。
【００１５】
［実施例３］
図４は、本発明の実施例３における光学アクセサリー鏡筒の背面の構成を示す一部断面図である。
図４に示すように、レンズ係合部２の鏡筒部２ａに形成される周方向のスリット２ｂは、軸方向スリット２ｃの中心を一端とし雌ネジ部２ｈが形成されている締結片２ｅ側へ略半周に渡り形成されている。また、鏡筒部２ｂ内周の締結片２ｅ近傍には凹溝１１ａに係合する係止爪２ｌが設けられている。
【００１６】
以下にレンズ前鏡筒１１への装着方法について説明する。まず、固定用ネジ部材３に具備した止め金５が締結片２ｅに当接するまで固定用ネジ部材３を緩める。このとき、締結片２ｄに形成された座２ｇと軸部３ｂとの間には隙間が生じる。次に、レンズ前鏡筒１１をレンズ係合部２に挿入する際には、図示のように締結片２ｄの端部を支点として固定用ネジ部材３を自身の軸方向に押圧する。このことにより、鏡筒部２ａにおける周方向スリット２ｂの及ぶ範囲が拡径する方向に弾性変形するため、内周部の係止爪２ｌを径方向に退避させることができる。レンズ前鏡筒１１を挿入後、固定用ネジ部材３を締め付けることで前記の実施例と同様に両者を固定することができる。
【００１７】
［実施例４］
図５は、本発明の実施例４における光学アクセサリー鏡筒の係止部の要部の構成を示す断面図である。
図５に示すように、レンズ係合部２の鏡筒部２ａの一部に外周側より溝２ｍが形成され、該溝部底面には内周側へ貫通する小孔２ｎが設けられている。小孔２ｎより一部が突出する球状係止部材７は、鏡筒部２ａの外周に固定された板バネ部材８により内径方向に押圧されている。なお、該板バネ部材８は、光学アクセサリー全重量を保持するに十分な押圧力を発生するバネ力を有しているもので、圧縮コイルバネ等や同等の弾性力を有する部材であってもかまわない。
【００１８】
本実施例の構成のレンズ係合部２にレンズ前鏡筒部１１を挿入する際、レンズ前鏡筒１１は球状係止部材７に当接するが、光学アクセサリー鏡筒をレンズ前鏡筒１１に対し軸方向に押圧することにより、球状係止部材７がレンズ前鏡筒１１の面圧を受けて径方向に退避する。凹溝１１と小孔２ｎの軸方向の位置が略一致すると球状係止部材７が再び突出し、係止部材として軸方向の移動を規制することができる。
なお、上記した各実施例の光学アクセサリー鏡筒は、光学レンズを保持する別体の鏡筒とネジ結合するタイプのもので説明したが、両者が一体で形成されたものであっても有効である。
【００１９】
本願発明の実施の態様として、例えば、以下のような実施態様例を列挙することができる。
【実施態様１】レンズ前鏡筒の外径部に嵌合する内径部を有し、該内径部を縮径する方向に弾性変形させ、前記レンズ前鏡筒の外径部を挟持して該レンズ前鏡筒に装着する光学アクセサリー鏡筒において、前記レンズ前鏡筒への装着時に、前記内径部の少なくとも一部に前記レンズ前鏡筒の外径部と係合する係合部を有することを特徴とする光学アクセサリー鏡筒。
【実施態様２】前記光学アクセサリー鏡筒が、該鏡筒の一部に少なくとも軸方向の割部を形成し、該割部の隙間をネジ部材の締め込みにより狭めて弾性変形させるように構成されていることを特徴とする実施態様１に記載の光学アクセサリー鏡筒。
【実施態様３】前記係合部が、前記レンズ前鏡筒への装着時に前記レンズ前鏡筒外周に設けた凹溝と係合する凸部で構成されていることを特徴とする実施態様１または実施態様２に記載の光学アクセサリー鏡筒。
【実施態様４】前記凸部が、着脱時に径方向に退避することを特徴とする実施態様１〜３のいずれかに記載の光学アクセサリー鏡筒。
【実施態様５】前記凸部が、前記ネジ部材の回転操作に伴って径方向に出没移動することを特徴とする実施態様１〜４のいずれかに記載の光学アクセサリー鏡筒。
【実施態様６】前記凸部が、前記ネジ部材の軸方向移動操作に伴って径方向に退避することを特徴とする実施態様１〜４のいずれかに記載の光学アクセサリー鏡筒。
【実施態様７】前記凸部が、前記光学アクセサリー鏡筒において周方向の略半周に亙ってスリットの形成された部位が拡径する方向に弾性変形することにより、径方向に退避することを特徴とする実施態様１〜４のいずれかに記載の光学アクセサリー鏡筒。
【実施態様８】前記凸部が、前記レンズ前鏡筒の面圧により径方向に退避することを特徴とする実施態様１〜４のいずれかに記載の光学アクセサリー鏡筒。
【００２０】
【発明の効果】
本発明によれば、レンズ前鏡筒への着脱操作性を損なうことなく、固定用ネジ部材の緩みによって生じる脱落を防止する機構を備えた光学アクセサリー鏡筒を実現することができる。
【図面の簡単な説明】
【図１】本発明の実施例１における光学アクセサリー鏡筒の背面の構成を示す一部断面図。
【図２】本発明の実施例１における光学アクセサリー鏡筒の側面の構成を示す一部断面図。
【図３】本発明の実施例２における光学アクセサリー鏡筒の係止部の要部の構成を示す断面図。
【図４】本発明の実施例３における光学アクセサリー鏡筒の背面の構成を示す一部断面図。
【図５】本発明の実施例４における光学アクセサリー鏡筒の係止部の要部の構成を示す断面図。
【符号の説明】
１：アクセサリー係合部
１ａ：雌ネジ部
１ｂ：アクセサリー係合面
２：レンズ係合部
２ａ：鏡筒部
２ｂ：周方向スリット
２ｃ：軸方向スリット
２ｄ，２ｅ：締結片
２ｆ：穴
２ｇ：座
２ｈ：雌ネジ部
２ｉ：円弧状溝部
２ｊ：ガイド斜面
２ｋ：テーパ雄ネジ部
２ｌ：係止爪
２ｍ：溝
２ｎ：小孔
３：固定用ネジ部材
３ａ：雄ネジ部
３ｂ：軸部
４：係止部材
４ａ：摺動部
４ｂ：突部
４ｃ：固定部
５：止め金
６：テーパネジ部材
６ａ：係止突起
６ｂ：係止端
６ｃ：テーパ雌ネジ部
７：球状係止部材
８：板バネ部材
１１：レンズ前鏡筒
１１ａ：凹溝
１１ｂ：段差
【図１】
2004271892.tif 000003
【図２】
2004271892.tif 000004
【図３】
2004271892.tif 000005
【図４】
2004271892.tif 000006
【図５】
2004271892.tif 000007